(57)【特許請求の範囲】
【請求項１】
複数のオーディオフォーマットの音曲を再生可能な再生装置において、
バッテリの電圧レベルを検知する電圧レベル検知手段と、
前記電圧レベル検知手段で検知される電圧レベルが閾値を下回っている場合に、前記複数のオーディオフォーマットのうち、所定値を超える消費電力を要するオーディオフォーマットによる音曲再生を制限する制御手段と
を具備することを特徴とする再生装置。
【請求項２】
前記複数のオーディオフォーマットと個々の消費電力との対応関係を示す第１の情報を保持する手段と、
前記電圧レベルの閾値と消費電力の閾値との対応関係を示す第２の情報を保持する手段とを更に具備し、
前記制御手段は、前記第１及び第２の情報を用いることにより、音曲再生を制限すべきオーディオフォーマットを決定することを特徴とする請求項１記載の再生装置。
【請求項３】
前記第２の情報においては、閾値が異なる複数の対応関係が示されていることを特徴とする請求項２記載の再生装置。
【請求項４】
前記制御手段は、音曲再生を制限するオーディオフォーマットに関する情報を表示もしくは音声により通知する手段を有することを特徴とする請求項１記載の再生装置。
【請求項５】
前記制御手段は、再生を制限する音曲に関する情報を表示もしくは音声により通知する手段を有することを特徴とする請求項１記載の再生装置。
【請求項６】
複数のオーディオフォーマットの音曲を再生可能な再生装置に適用される省電力方法において、
バッテリの電圧レベルを検知し、
検知された前記電圧レベルが閾値を下回っている場合に、前記複数のオーディオフォーマットのうち、所定値を超える消費電力を要するオーディオフォーマットによる音曲再生を制限することを特徴とする省電力方法。
【発明の詳細な説明】
【０００１】
【発明の属する技術分野】
本発明は、音曲を再生する再生装置及び省電力方法に関する。
【０００２】
【従来の技術】
近年、固体記憶装置やディスク装置などにディジタルオーディオデータを記録し、その再生を行うオーディオプレーヤが広く使用されるようになってきている。これらは、特にディジタル圧縮技術を用いてオーディオデータの大きさを小さくすることにより、例えばＣＤ１枚の曲をＣＤの記憶容量よりはるかに小さいフラッシュメモリカードに保存したり、ＣＤ複数枚の圧縮したデータをＣＤ−Ｒに保存し、再生できるようになっている。
【０００３】
フラッシュメモリカードを用いるプレーヤとしては、ＳＤカード、スマートメディア、コンパクトフラッシュ（登録商標）等に対応するスロットを備えた携帯型プレーヤがある。また、ＣＤ−Ｒを用いるプレーヤとしては、ＣＤプレーヤー機能とＭＰ３やＷＭＡなどの再生機能を有する携帯型プレーヤ、及びＭＰ３再生機能を有するＤＶＤプレーヤーなどがある。
【０００４】
【発明が解決しようとする課題】
オーディオプレーヤによっては、複数のオーディオフォーマットに対応できるものがあり、種々なオーディオフォーマットに基づく音曲を任意に選択して再生することが可能である。
【０００５】
しかしながら、オーディオフォーマットの種類によっては音曲データの復号処理（伸張処理を含む）などにおいて大きな消費電力を要するものがある。そのようなオーディオフォーマットの種類による消費電力の差を鑑みることなく、携帯型プレーヤでバッテリ駆動により音曲を再生していると、バッテリ残量がすぐに減ってしまうという問題がある。特に、バッテリ残量が少ない状態で、大きな消費電力を要するオーディオフォーマットの音曲を再生していると、バッテリ切れまでの時間が非常に短くなってしまうという問題がある。
【０００６】
こうしたことから、バッテリ残量が少ない状態において、バッテリの急速な消耗を防ぎ、より長い再生時間を得られるようにする技術の提示が望まれる。
【０００７】
特開平７−６５５０７号公報は、携帯型のディスク再生装置においてバッテリの寿命を延ばす技術を開示している。しかし、この文献の技術は、記録媒体からのデータの読み出しを停止している期間はサーボ制御動作を停止させることにより、駆動電源として用いられるバッテリの寿命を延ばすというものであり、大きな消費電力を要するオーディオフォーマットに起因するバッテリ消耗の問題には何ら触れていない。
【０００８】
本発明は上記実情に鑑みてなされたものであり、バッテリの急速な消耗を防ぎ、より長い再生時間を得られる再生装置及び省電力方法を提供することを目的とする。
【０００９】
【課題を解決するための手段】
本発明に係る再生装置は、複数のオーディオフォーマットの音曲を再生可能な再生装置において、バッテリの電圧レベルを検知する電圧レベル検知手段と、前記電圧レベル検知手段で検知される電圧レベルが閾値を下回っている場合に、前記複数のオーディオフォーマットのうち、所定値を超える消費電力を要するオーディオフォーマットによる音曲再生を制限する制御手段とを具備することを特徴とする。
【００１１】
また、本発明に係る省電力方法は、複数のオーディオフォーマットの音曲を再生可能な再生装置に適用される省電力方法において、バッテリの電圧レベルを検知し、検知された前記電圧レベルが閾値を下回っている場合に、前記複数のオーディオフォーマットのうち、所定値を超える消費電力を要するオーディオフォーマットによる音曲再生を制限することを特徴とする。
【００１３】
【発明の実施の形態】
以下、図面を参照して本発明の実施形態を説明する。
【００１４】
図１は、本発明の第１及び第２の実施形態に係る音曲再生装置の外観を示す図である。
【００１５】
音曲再生装置１は、例えば携帯型の音楽プレーヤであり、複数の異なる種類のオーディオフォーマット（ＭＰ３，ＷＭＡ，ＡＡＣなど）に対応でき、複数の音曲を順次再生できる。この音曲再生装置１には、操作部１１、表示部１２、スピーカ１３、ヘッドフォン端子１４、スロット１５などが備えられている。
【００１６】
操作部１１は、音曲の再生、停止、一時停止、早送り、巻き戻しなどを行なうための操作用ボタンを備えている。
【００１７】
表示部１２は、再生される音曲に関する情報を表示するためのディスプレイである。
【００１８】
スピーカ１３は、不適切な入力操作が行われた場合やユーザに所定の警告を行なう必要がある場合に、音声で通知する。
【００１９】
ヘッドフォン端子１４は、再生される音曲を聴くためのヘッドフォンを電気的に接続するための端子である。
【００２０】
スロット１５は、音曲データを記憶したメモリカードを着脱可能であり、メモリカードが装着された際には音曲データが装置内蔵の記録媒体に取り込まれる。
【００２１】
図２は、本発明の第１及び第２の実施形態に係る音曲再生装置の内部構成を示すブロック図である。
【００２２】
音曲再生装置１は、制御部１６、電源部１７、記録媒体１８、復号部１９、バッファメモリ２０、Ｄ／Ａ（ディジタル／アナログ）変換部２１、スピーカ２２を備えている。
【００２３】
制御部１６は、音曲再生装置１の全体の制御を司るものであり、記録媒体１７からの音曲データの読み出し処理や、復号部１９での復号処理、バッファメモリでの一時記憶やデータ転送処理などに関する制御を行なう。
【００２４】
特に、制御部１６（第１の実施形態に対応）は、電源部（バッテリ）１７の電圧レベルを検知し、検出された電圧レベルが閾値を下回っている場合に、複数のオーディオフォーマットのうち、所定値を超える消費電力を要するオーディオフォーマットによる音曲再生を制限する機能（例えば、当該オーディオフォーマットによる音曲再生を禁止する、もしくは当該オーディオフォーマットの音曲の頭出し部分のみを再生する等といった機能）を有している。
【００２５】
また、制御部１６（第２の実施形態に対応）は、電源部（バッテリ）１７の電圧レベルを検知し、検出された電圧レベルが閾値を下回っている場合に、複数の音曲のうち、所定値を超える電力量を要する音曲の再生を制限する機能（例えば、当該音曲の再生を禁止する、もしくは当該音曲の頭出し部分のみを再生する等といった機能）を有している。
【００２６】
電源部１７は、電力を蓄積するバッテリを備え、音曲再生装置１の各部に電力を供給するものである。
【００２７】
記録媒体１８は、フラッシュメモリカードやＣＤ−Ｒなどに相当し、音曲データ（オーディオデータ）やこれに付随する制御情報などを記憶している。
【００２８】
復号部１９は、記録媒体１８から読み出される音曲データを復号化（圧縮されたデータを伸張する処理を含む）するものである。ここでの読み出し処理は、制御部１６の制御のもとで間欠的に行われる。
【００２９】
バッファメモリ２０は、復号部１９により復号化された音曲データを一時的に蓄積（記憶）するものである。このバッファメモリ２０は、記録媒体１８からの読み出し処理や復号処理における音曲データの遅延を吸収する。バッファメモリ２０に一旦蓄積された音曲データは再生に必要な一定のデータ転送速度でＤ／Ａ変換部２１に送られる。
【００３０】
Ｄ／Ａ（ディジタル／アナログ）変換部２１は、バッファメモリ２０から読み出される音曲データをディジタルデータからアナログ信号に変換するものである。
【００３１】
スピーカ２２は、Ｄ／Ａ変換部２１から出力されるアナログ信号を人間が聴取可能な音波に変換して出力するものである。なお、スピーカー部２２は、内蔵スピーカーもしくは外部接続のヘッドフォンに相当する。
【００３２】
（第１の実施形態）
以下、第１の実施形態に関して説明する。
【００３３】
図３は、本発明の第１の実施形態による制御部１６の機能構成を説明するためのブロック図である。
【００３４】
制御部１６は、ソフトウェアとして実現される主制御部３１、ファイルテーブル３２、再生可否判定部３３、オーディオフォーマット／消費電力の対応テーブル３４、バッテリ電圧の閾値／消費電力の閾値の対応テーブル３５、電圧レベル検知部３６、再生不可通知部３７、再生処理制御部３８、及びハードウェアとして実現されるセンサ３９を備えている。
【００３５】
主制御部３１は、本装置の再生モードとなった場合などにおいては、再生可否判定部３３に対し、ファイルテーブル３２に示される内容（使用するオーディオフォーマットの種類など）の通知や再生可否の問合せを行なう機能を有する。
【００３６】
また、主制御部３１は、再生可否判定部３３から、オーディオフォーマット毎の音曲再生の可否を通知を受けて、使用不可のオーディオフォーマットに関する通知処理を行なうよう再生不可通知部３７に指示したり、使用可能なオーディオフォーマットによる再生処理の制御を再生処理制御部３８に指示したりする。
【００３７】
ファイルテーブル３２は、本装置の記録媒体１８上の音曲データに関する情報（オーディオフォーマットの種類、各音曲の番号・再生時間など）を保持している。当該情報は、主制御部３１もしくは再生可否判定部３３により参照される。
【００３８】
再生可否判定部３３は、主制御部３１から知得されるファイルテーブル３２の内容に基づき、オーディオフォーマットと消費電力との対応関係を示す情報をテーブル３４上に形成する。
【００３９】
また、再生可否判定部３３は、電圧レベル検知部３６から知得されるバッテリの電圧レベルが閾値を下回っていることを検出した場合に、テーブル３４，３５を参照することにより、所定値を超える消費電力を要するオーディオフォーマットがどれであるかを判定し、その判定結果を主制御部３１に通知する機能を有する。
【００４０】
オーディオフォーマット／消費電力の対応テーブル３４は、図４に示されるように、本装置で使用する複数のオーディオフォーマットＡ〜Ｃと、当該オーディオフォーマットで音曲再生を行なった場合の消費電力の値Ｄ〜Ｆ（但し、Ｄ＞Ｅ＞Ｆ）との対応関係が示されている。上記オーディオフォーマットＡ〜Ｃの種類としては、例えばＭＰ３，ＷＭＡ，ＡＡＣ（いずれも音声圧縮技術を使用した規格）、ＰＣＭ（音声圧縮技術を使用していない規格）が挙げられる。
【００４１】
バッテリ電圧の閾値／消費電力の閾値の対応テーブル３５は、図５に示されるように、バッテリの残量低下の目安として予め設定した複数の（２段階の）バッテリ電圧の閾値Ｘ，Ｙ（但し、Ｘ＞Ｙ）と、当該閾値に対応して設定した消費電力の値Ｚ，Ｗ（但し、Ｚ＞Ｗ）との対応関係が示されている。この場合、消費電力の値Ｚ，Ｗとしては、例えばＤ＞Ｚ＞Ｅ＞Ｗ＞Ｆという関係が成立するような値に設定されているものとする。
【００４２】
電圧レベル検知部３６は、センサ３９から送られてくる検出結果に基づいて電圧レベルを検知し、その電圧レベルを示すデータを再生可否判定部３３へ送るものである。
【００４３】
再生不可通知部３７は、主制御部３１からの指示に従って、再生不可のオーディオフォーマットに関する通知処理を行なうものである。この場合の通知は、図１に示した表示部１２を通じて表示を行なうようにしてもよく、また同時にスピーカ１３を通じて音声で行なうようにしてもよい。
【００４４】
再生処理制御部３８は、主制御部３１からの指示に従って、再生可能なオーディオフォーマットによる再生処理の制御を行なうものである。この場合の再生処理制御部３８は、再生不可のオーディオフォーマットの曲は再生せずにスキップし、再生可能なオーディオフォーマットの曲のみを順次再生するよう制御する。
【００４５】
センサ３９は、電源部１７のバッテリ残量（電圧レベル）を検出するものであり、その検出結果は電圧レベル検知部３６に送られるようになっている。
【００４６】
次に、図６を参照して、同実施形態による省電力制御の動作を説明する。
【００４７】
制御部１６は、ユーザの操作に応じて本装置が再生モードになったことを検出すると（ステップＡ１）、バッテリの電圧に応じた省電力制御を開始する。
【００４８】
まず、制御部１６は、バッテリの電圧レベルＢＬが第１の閾値Ｘを下回っているか否かを判定する（ステップＡ２）。
【００４９】
上記ステップＡ２において、バッテリの電圧レベルＢＬが第１の閾値Ｘを下回っていなければ、通常通りの再生が行われることになる（ステップＡ３）。一方、下回っていれば、次の判定処理（ステップＡ４）に移る。
【００５０】
即ち、制御部１６は、バッテリの電圧レベルＢＬが第２の閾値Ｙを下回っているか否かを判定する（ステップＡ４）。
【００５１】
上記ステップＡ４において、バッテリの電圧レベルＢＬが第２の閾値Ｙを下回っていなければ、バッテリの電圧レベルＢＬは、「Ｘ＞ＢＬ＞Ｙ」（バッテリ残量が少ない）の状態にある。このとき制御部１６は、図５及び図４の各テーブルを参照することにより、バッテリ電圧の閾値Ｘに対応する消費電力の閾値Ｚよりも大きい消費電力Ｄを要するオーディオフォーマットＡの音曲は再生しないものと決定し、オーディオフォーマットＡ以外のオーディオフォーマットの音曲を再生するよう制御する（ステップＡ５）。
【００５２】
上記ステップＡ４において、バッテリの電圧レベルＢＬが第２の閾値Ｙを下回っていれば、バッテリの電圧レベルＢＬは、「ＢＬ＜Ｙ」（バッテリ残量がかなり少ない）の状態にある。このとき制御部１６は、図５及び図４の各テーブルを参照することにより、バッテリ電圧の閾値Ｙに対応する消費電力の閾値Ｗよりも大きい消費電力Ｄ，Ｅを要するオーディオフォーマットＡ，Ｂの音曲は再生しないものと決定し、オーディオフォーマットＡ，Ｂ以外のオーディオフォーマットの音曲を再生するよう制御する（ステップＡ６）。
【００５３】
このように第１の実施形態によれば、オーディオフォーマットごとの消費電力の違いに鑑み、制御部１６における制御として、バッテリ残量が低下した場合に消費電力の大きいオーディオフォーマットによる音曲再生を制限しているので、バッテリ残量低下時の再生の安定化およびバッテリ使用時間の長時間化を実現できる。また、バッテリ電圧の閾値を複数段階に分けて設定しているので、より細やかで柔軟な省電力制御を実現できる。
【００５４】
（第２の実施形態）
以下、第２の実施形態に関して説明する。
【００５５】
図７は、本発明の第２の実施形態による制御部１６の機能構成を説明するためのブロック図である。なお、前述した第１の実施形態（図３）と共通する構成要素には同一符号を付している。
【００５６】
第１の実施形態（図３）と異なる構成要素は、図７中に示される「曲／再生時間／電力量の対応テーブル４１」及び「バッテリ電圧の閾値／電力量の閾値の対応テーブル４２」である。
【００５７】
この第２の実施形態では、主制御部３１は、本装置の再生モードとなった場合などにおいては、再生可否判定部３３に対し、ファイルテーブル３２に示される内容（オーディオフォーマットや、再生する各音曲の番号・再生時間・再生順序など）の通知や再生可否の問合せを行なう機能を有する。また、主制御部３１は、再生可否判定部３３から、音曲毎の再生の可否を通知を受けて、再生不可の音曲に関する通知処理を行なうよう再生不可通知部３７に指示したり、再生可能な音曲の再生処理の制御を再生処理制御部３８に指示したりする。
【００５８】
再生可否判定部３３は、主制御部３１から知得されるファイルテーブル３２の内容に基づき、音曲と再生時間と電力量との対応関係を示す情報をテーブル４１上に形成する。この場合、各音曲の電力量は、例えば次の式により算出される。
【００５９】
（音曲の電力量）＝（オーディオフォーマットの電力）×（再生時間）
なお、記録憶媒体を交換したり曲データを追加した際にも、新規の音曲について電力量を適宜算出し、テーブル４１上に反映させるようにする。また、音曲の電力量の算出は、再生可否判定部３３以外の要素で行なうようにしても構わない。
【００６０】
また、再生可否判定部３３は、電圧レベル検知部３６から知得されるバッテリの電圧レベルが閾値を下回っていることを検出した場合に、テーブル４１，４２を参照することにより、所定値を超える電力量を要する音曲がどれであるかを判定し、その判定結果を主制御部３１に通知する機能を有する。
【００６１】
曲／再生時間／電力量の対応テーブル４１は、図８に示されるように、本装置で再生する音曲の番号Ｎｏ．１，２，３，４，５…と、当該音曲の再生時間と、当該音曲を再生した場合の電力量ｂ，ｈ，ｆ，ｊ，ａ…（但し、ａ＞ｂ＞ｃ＞ｄ＞ｅ…）との対応関係が示されている。
【００６２】
バッテリ電圧の閾値／電力量の閾値の対応テーブル４２は、図９に示されるように、バッテリの残量低下の目安として予め設定した複数の（２段階の）バッテリ電圧の閾値Ｐ，Ｑ（但し、Ｐ＞Ｑ）と、当該閾値に対応して設定した電力量Ｒ，Ｓ（但し、Ｒ＞Ｓ）との対応関係が示されている。この場合、電力量Ｒ，Ｓとしては、例えばａ＞Ｒ＞ｂ＞Ｓ＞ｃという関係が成立するような値に設定されているものとする。
【００６３】
電圧レベル検知部３６は、前述した第１の実施形態の場合と同様、センサ３９から送られてくる検出結果に基づいて電圧レベルを検知し、その電圧レベルを示すデータを再生可否判定部３３へ送る。
【００６４】
再生不可通知部３７は、主制御部３１からの指示に従って、再生不可の音曲に関する通知処理を行なう。この場合の通知は、図１に示した表示部１２を通じて表示を行なうようにしてもよく、また同時にスピーカ１３を通じて音声で行なうようにしてもよい。
【００６５】
再生処理制御部３８は、主制御部３１からの指示に従って、再生可能な音曲の再生処理の制御を行なう。この場合の再生処理制御部３８は、再生不可の音曲は再生せずにスキップし、再生可能な音曲のみを順次再生するよう制御する。
【００６６】
センサ３９は、前述した第１の実施形態の場合と同様、電源部１７のバッテリ残量（電圧レベル）を検出するものであり、その検出結果は電圧レベル検知部３６に送られるようになっている。
【００６７】
次に、図１０を参照して、同実施形態による省電力制御の動作を説明する。
【００６８】
制御部１６は、ユーザの操作に応じて本装置が再生モードになったことを検出すると（ステップＢ１）、バッテリの電圧に応じた省電力制御を開始する。
【００６９】
まず、制御部１６は、バッテリの電圧レベルＢＬが第１の閾値Ｐを下回っているか否かを判定する（ステップＢ２）。
【００７０】
上記ステップＢ２において、バッテリの電圧レベルＢＬが第１の閾値Ｐを下回っていなければ、通常通りの再生が行われることになる（ステップＢ３）。一方、下回っていれば、次の判定処理（ステップＢ４）に移る。
【００７１】
即ち、制御部１６は、バッテリの電圧レベルＢＬが第２の閾値Ｑを下回っているか否かを判定する（ステップＢ４）。
【００７２】
上記ステップＢ４において、バッテリの電圧レベルＢＬが第２の閾値Ｑを下回っていなければ、バッテリの電圧レベルＢＬは、「Ｐ＞ＢＬ＞Ｑ」（バッテリ残量が少ない）の状態にある。このとき制御部１６は、図９及び図８の各テーブルを参照することにより、バッテリ電圧の閾値Ｐに対応する電力量の閾値Ｒよりも大きい電力量ａを要するＮｏ．５の音曲は再生しないものと決定し、Ｎｏ．５の音曲以外の音曲を再生するよう制御する（ステップＢ５）。
【００７３】
上記ステップＢ４において、バッテリの電圧レベルＢＬが第２の閾値Ｑを下回っていれば、バッテリの電圧レベルＢＬは、「ＢＬ＜Ｑ」（バッテリ残量がかなり少ない）の状態にある。このとき制御部１６は、図９及び図８の各テーブルを参照することにより、バッテリ電圧の閾値Ｑに対応する消費電力の閾値Ｓよりも大きい電力量ａ，ｂを要するＮｏ．５，Ｎｏ．１の音曲は再生しないものと決定し、Ｎｏ．５，Ｎｏ．１の音曲以外の音曲を再生するよう制御する（ステップＢ６）。
【００７４】
このように第２の実施形態によれば、音曲ごとの電力量の違いに鑑み、制御部１６における制御として、バッテリ残量が低下した場合に電力量の大きい音曲の再生を制限しているので、バッテリ残量低下時の再生の安定化およびバッテリ使用時間の長時間化を実現できる。また、バッテリ電圧の閾値を複数段階に分けて設定しているので、より細やかで柔軟な省電力制御を実現できる。
【００７５】
なお、本発明は、上述した実施形態に限定されるものではなく、その要旨を逸脱しない範囲内で種々変形して実施することが可能である。例えば、上述の第１の実施形態に示した省電力制御と、第２の実施形態に示した省電力制御とを、組み合わせて実行することも可能である。
【００７６】
【発明の効果】
以上詳記したように本発明によれば、再生装置においてバッテリの急速な消耗を防ぎ、より長い再生時間を得ることが可能となる。
【図面の簡単な説明】
【図１】本発明の第１及び第２の実施形態に係る音曲再生装置の外観を示す図。
【図２】本発明の第１及び第２の実施形態に係る音曲再生装置の内部構成を示すブロック図。
【図３】本発明の第１の実施形態による制御部の機能構成を説明するためのブロック図。
【図４】同実施形態におけるオーディオフォーマット／消費電力の対応テーブルを説明するための図。
【図５】同実施形態におけるバッテリ電圧の閾値／消費電力の閾値の対応テーブルを説明するための図。
【図６】同実施形態による省電力制御の動作を説明するためのフローチャート。
【図７】本発明の第２の実施形態による制御部の機能構成を説明するためのブロック図。
【図８】同実施形態における曲／再生時間／電力量の対応テーブルを説明するための図。
【図９】同実施形態におけるバッテリ電圧の閾値／電力量の閾値の対応テーブルを説明するための図。
【図１０】同実施形態による省電力制御の動作を説明するためのフローチャート。
【符号の説明】
１…音曲再生装置
１１…操作部
１２…表示部
１３…スピーカ
１４…ヘッドフォン端子
１５…スロット
１６…制御部
１７…電源部
１８…記録媒体
１９…復号部
２０…バッファメモリ
２１…Ｄ／Ａ変換部
２２…スピーカ
３１…主制御部
３２…ファイルテーブル
３３…再生可否判定部
３４…オーディオフォーマット／消費電力の対応テーブル
３５…バッテリ電圧の閾値／消費電力の閾値の対応テーブル
３６…電圧レベル検知部
３７…再生不可通知部
３８…再生処理制御部
３９…センサ
４１…曲／再生時間／電力量の対応テーブル
４２…バッテリ電圧の閾値／電力量の閾値の対応テーブル
【図１】
0003569266.tif 000002
【図２】
0003569266.tif 000003
【図３】
0003569266.tif 000004
【図４】
0003569266.tif 000005
【図５】
0003569266.tif 000006
【図６】
0003569266.tif 000007
【図７】
0003569266.tif 000008
【図８】
0003569266.tif 000009
【図９】
0003569266.tif 000010
【図１０】
0003569266.tif 000011